(57)【要約】【課題】ＨＤ−ＳＤＩ信号の伝送システムにおいて、ＨＤ−ＳＤＩ信号を識別する。【解決手段】誤り訂正符号化装置１０の誤り訂正符号化対象データ抽出手段１０２は、ＨＤ−ＳＤＩデータから符号化対象データを抽出し、誤り訂正符号化手段１０５は、符号化対象データを短縮化ＲＳ符号により符号化し、パリティデータを生成する。誤り訂正パリティ並び替え手段１０６は、所定の禁止ワードを回避するため、パリティデータ及び識別符号のビット並び替えを行い、並び替えデータを生成する。誤り訂正パリティ挿入手段１０３は、並び替えデータを、ＨＤ−ＳＤＩ信号の補助データ領域に挿入する。このようにして多重化されたＨＤ−ＳＤＩ信号は受信装置２へ送信される。受信装置２は、ＨＤ−ＳＤＩ信号の補助データ領域から識別符号を抽出し、識別情報を生成してＨＤ−ＳＤＩ信号識別情報表示手段２０９に表示する。【選択図】図４
2011223395.tif 000002
【特許請求の範囲】
【請求項１】
ハイビジョン信号のシリアルデジタルインターフェースの規格であるＨＤ−ＳＤＩのデータ形式で構成されたＨＤ−ＳＤＩ信号に、誤り訂正符号により前記ＨＤ−ＳＤＩ信号を符号化して生成されるパリティデータを多重化する誤り訂正符号化装置において、
シリアル信号形式の前記ＨＤ−ＳＤＩ信号をパラレル信号形式のＨＤ−ＳＤＩデータに変換するシリアル・パラレル変換手段と、
前記シリアル・パラレル変換手段により変換されたＨＤ−ＳＤＩデータから、前記誤り訂正符号化の符号化対象データを抽出する符号化対象データ抽出手段と、
前記符号化対象データ抽出手段により抽出された符号化対象データを、前記誤り訂正符号により符号化し、前記パリティデータを生成する符号化手段と、
前記符号化手段により生成されたパリティデータ、及び前記ＨＤ−ＳＤＩ信号を識別するための識別符号が、所定の禁止ワードのデータと一致しないようにビット単位の並び替えを行い、前記並び替えたパリティデータ及び識別符号を含む並び替えデータを生成する並び替え手段と、
前記並び替え手段により生成されたパリティデータ及び識別符号を含む並び替えデータを、前記ＨＤ−ＳＤＩデータ内の補助データ領域に確保した所定領域に挿入するパリティ挿入手段と、
前記パリティ挿入手段により挿入された並び替えデータを含むパラレル信号形式のＨＤ−ＳＤＩデータを、シリアル信号形式のＨＤ−ＳＤＩ信号に変換するパラレル・シリアル変換手段と、
を備えたことを特徴とする誤り訂正符号化装置。
【請求項２】
請求項１に記載の誤り訂正符号化装置において、
前記並び替え手段は、前記符号化手段により生成された所定数のパリティデータにおける同一ビット位置のビットデータと、所定の禁止ワードを回避するための禁止ワード回避ビットとを連結することにより、少なくとも前記ビットデータ及び前記禁止ワード回避ビットを含む並び替えデータを生成し、前記並び替えデータのうちの、前記ビットデータ及び前記禁止ワード回避ビット以外の予備データの領域に、前記ＨＤ−ＳＤＩ信号を識別するための識別符号を挿入することを特徴とする誤り訂正符号化装置。
【請求項３】
請求項１または２に記載の誤り訂正符号化装置において、
前記符号化手段は、前記誤り訂正符号化を行う際の情報データ長を前記ＨＤ−ＳＤＩデータから抽出される符号化対象データのデータ長に短縮した短縮化リードソロモン符号により、前記符号化対象データを符号化することを特徴とする誤り訂正符号化装置。
【請求項４】
請求項３に記載の誤り訂正符号化装置において、
前記符号化手段は、リードソロモン（１０２３,１００３）符号を短縮化した短縮化リードソロモン（９８６,９６６）符号により、前記符号化対象データを符号化することを特徴とする誤り訂正符号化装置。
【請求項５】
請求項１から４までのうちのいずれか一項に記載の誤り訂正符号化装置において、
前記並び替え手段は、前記パリティデータ及び１個の識別符号を含む並び替えデータを生成することを特徴とする誤り訂正符号化装置。
【請求項６】
請求項１から４までのいずれか一項に記載の誤り訂正符号化装置において、
前記並び替え手段は、前記パリティデータ及び複数の識別符号を含む並び替えデータを生成し、前記複数の識別符号は全て同一の符号とすることを特徴とする誤り訂正符号化装置。
【請求項７】
請求項１から４までのいずれか一項に記載の誤り訂正符号化装置において、
前記シリアル・パラレル変換手段は、所定のワード単位のパラレル信号形式のＨＤ−ＳＤＩデータに変換し、
前記符号化手段は、前記誤り訂正符号により、前記ワード単位のパリティデータを生成し、
前記並び替え手段は、ワード単位のパリティデータ及び１ワード長よりも少ないビット数の識別符号を含む並び替えデータを生成することを特徴とする誤り訂正復号装置。
【請求項８】
請求項１から７までのいずれか一項に記載の誤り訂正符号化装置によりパリティデータが多重化されると共に、前記ＨＤ−ＳＤＩ信号を識別するための識別符号が多重化されたシリアル信号形式のＨＤ−ＳＤＩ信号を入力し、前記誤り訂正符号により前記ＨＤ−ＳＤＩ信号を復号する誤り訂正復号装置において、
前記シリアル信号形式のＨＤ−ＳＤＩ信号をパラレル信号形式のＨＤ−ＳＤＩデータに変換するシリアル・パラレル変換手段と、
前記シリアル・パラレル変換手段により変換されたＨＤ−ＳＤＩデータ内の補助データ領域に確保された所定領域から、前記所定の禁止ワードのデータと一致しないようにビット単位の並び替えが行われたパリティデータ及び識別符号を含む並び替えデータを抽出するパリティ抽出手段と、
前記シリアル・パラレル変換手段により変換されたＨＤ−ＳＤＩデータから、前記誤り訂正復号の復号対象データを抽出する復号対象データ抽出手段と、
前記パリティ抽出手段により抽出された並び替えデータに対し、前記並び替えとは逆の処理を行い、元のパリティデータ及び識別符号を生成するパリティ並び替え手段と、
前記パリティ並び替え手段により生成されたパリティデータを用いて、前記復号対象データ抽出手段により抽出された復号対象データに対し、前記誤り訂正符号により復号し、復号データを生成する復号処理手段と、
前記ＨＤ−ＳＤＩデータのうちの復号対象データを、前記復号処理手段により生成された復号データに置き換えるデータ置き換え手段と、
前記データ置き換え手段により復号データに置き換えられたＨＤ−ＳＤＩデータを、シリアル信号形式のＨＤ−ＳＤＩ信号に変換するパラレル・シリアル変換手段と、
前記パリティ並び替え手段により生成された、前記ＨＤ−ＳＤＩ信号を識別するための識別符号を出力する識別符号出力手段と、
を備えたことを特徴とする誤り訂正復号装置。
【請求項９】
請求項８に記載の誤り訂正復号装置において、
前記シリアル・パラレル変換手段は、前記パリティデータが多重化されると共に、前記ＨＤ−ＳＤＩ信号を識別するための複数の識別符号であって全てが同一の識別符号が多重化されたシリアル信号形式のＨＤ−ＳＤＩ信号をパラレル信号形式のＨＤ−ＳＤＩデータに変換し、
前記識別符号出力手段は、前記パリティ並び替え手段により生成された複数の識別符号に対し、多数決により１個の識別符号を特定し、特定した識別符号を出力することを特徴とする誤り訂正復号装置。
【請求項１０】
請求項８または９に記載の誤り訂正復号装置を１台または複数台備えた受信装置において、
前記誤り訂正復号装置の識別符号出力手段により出力された識別符号を表示する表示器を備えたことを特徴とする受信装置。
【請求項１１】
請求項８または９に記載の誤り訂正復号装置を複数台備えた受信装置において、
さらに、前記識別符号出力手段により出力された識別符号を、前記誤り訂正復号装置毎に入力し、識別符号と出力端子との対応が定義された所定のテーブルに従って、前記誤り訂正復号装置毎の切り替え信号を生成する切替制御装置と、
前記パラレル・シリアル変換手段により変換されたシリアル信号形式のＨＤ−ＳＤＩ信号を、前記誤り訂正復号装置毎に入力し、前記切替制御装置により生成された誤り訂正復号装置毎の切り替え信号を入力し、前記切り替え信号に基づいて、前記誤り訂正復号装置毎のＨＤ−ＳＤＩ信号のうち、１つのＨＤ−ＳＤＩ信号を選択する切り替えを行い、前記所定のテーブルに定義された識別符号のＨＤ−ＳＤＩ信号を、前記識別符号に対応する出力端子から外部へ出力する切替装置と、
を備えたことを特徴とする受信装置。
【請求項１２】
請求項１から７までのいずれか一項の誤り訂正符号化装置を１台または複数台備えた送信装置と、請求項８または９の誤り訂正復号装置を１台または複数台備えた受信装置とにより構成されることを特徴とする伝送システム。
【発明の詳細な説明】
【技術分野】
【０００１】
本発明は、デジタル映像信号の誤り訂正を行う誤り訂正符号化装置、誤り訂正復号装置、受信装置及び伝送システムに関し、特に、シリアルデジタルインターフェースの規格であるＨＤ−ＳＤＩのデータ形式で構成されたＨＤ−ＳＤＩ信号を多重化して伝送する技術に関する。
【背景技術】
【０００２】
従来、大容量のデジタル映像信号を伝送する装置として、例えば、非特許文献１に記載のものが知られている。この装置は、電波を用いて複数の非圧縮デジタルハイビジョン信号を無線伝送する。具体的には、３台の送信装置と３台の受信装置とを備えて構成される伝送システムにおいて、３台の送信装置が、Ｄｕａｌ  Ｇｒｅｅｎ方式のスーパーハイビジョン信号である１６本のＨＤ−ＳＤＩ信号を入力し、ＨＤ−ＳＤＩ信号を符号化して多重化し、伝送路を介して３台の受信装置へ送信する。そして、３台の受信装置は、送信装置から伝送路を介して多重化されたＨＤ−ＳＤＩ信号を受信し、それぞれのＨＤ−ＳＤＩ信号に分離して復号し、元の１６本のＨＤ−ＳＤＩ信号を出力する。
【０００３】
このような伝送システムでは、送信装置が複数のＨＤ−ＳＤＩ信号を入力し、受信装置が複数のＨＤ−ＳＤＩ信号を出力するようになっている。送信装置には、複数のＨＤ−ＳＤＩ信号を入力するために、ＨＤ−ＳＤＩ信号の数分のケーブルが接続され、受信装置にも、複数のＨＤ−ＳＤＩ信号を出力するために、ＨＤ−ＳＤＩ信号の数分のケーブルが接続される。ここで、ＨＤ−ＳＤＩ信号が出力される複数のケーブルと、受信装置に備えた複数の出力端子とがそれぞれ対応している必要があり、ユーザーが、それぞれのケーブルを適切な出力端子に接続することにより、伝送システムを確立する。
【０００４】
一方、信頼性の高いＨＤ−ＳＤＩ信号の伝送を実現する伝送システムとして、例えば、特許文献１に記載のものが知られている。この伝送システムは、ＨＤ−ＳＤＩ信号を誤り訂正符号化し、多重化して伝送する送信装置と、ＨＤ−ＳＤＩ信号を分離して誤り訂正復号する受信装置とを備えて構成される。具体的には、送信装置は、ＨＤ−ＳＤＩ信号を符号化し、符号化により生成した誤り訂正符号のパリティデータが禁止ワードのデータと一致しないように、生成した所定数のパリティデータ毎にビット単位で並び替え、並び替えたパリティデータをＨＤ−ＳＤＩ信号の補助データ領域に挿入し、複数のＨＤ−ＳＤＩ信号を多重化して受信装置へ伝送する。受信装置は、多重化されたＨＤ−ＳＤＩ信号を受信し、それぞれのＨＤ−ＳＤＩ信号に分離し、ＨＤ−ＳＤＩ信号の補助データ領域からパリティデータを抽出して元のパリティデータに並び替え、元のパリティデータを用いてＨＤ−ＳＤＩ信号を誤り訂正復号して出力する。これにより、ＨＤ−ＳＤＩ信号の誤り訂正を行うようにしたから、信頼性の高い伝送を実現することができる。
【先行技術文献】
【特許文献】
【０００５】
【特許文献１】特開２００９−８９１３０号公報
【非特許文献】
【０００６】
【非特許文献１】岡部、他７名、「１２０ＧＨｚ帯無線伝送装置を用いたSHV伝送実験」、２００９年８月、２００９年映像情報メディア学会年次大会、１６−５
【発明の概要】
【発明が解決しようとする課題】
【０００７】
前述した非特許文献１に記載された伝送システムでは、１６本のＨＤ−ＳＤＩ信号が、１６本のケーブルを介して３台の送信装置に入力され、１６本のＨＤ−ＳＤＩ信号が、１６本のケーブルを介して３台の受信装置から出力される。しかしながら、このような伝送システムでは、受信装置において、ＨＤ−ＳＤＩ信号が１６本のＨＤ−ＳＤＩ信号のうちのいずれの信号であるかを具体的に識別する手段がなかった。すなわち、従来の伝送システムでは、複数のＨＤ−ＳＤＩ信号に対し、個々のＨＤ−ＳＤＩ信号を区別することができなかった。このため、ユーザーは、ＨＤ−ＳＤＩ信号が出力される複数のケーブルを受信装置の出力端子に接続する際、送信装置を操作するユーザーと連絡をとりながらケーブルの接続作業を行う必要があるから、ケーブルを誤って接続してしまう可能性があるという問題があった。
【０００８】
そこで、前記課題を解決するため、本発明の目的は、ＨＤ−ＳＤＩ信号を伝送するシステムにおいて、ＨＤ−ＳＤＩ信号を識別することが可能な誤り訂正符号化装置、誤り訂正復号装置、受信装置及び伝送システムを提供することにある。
【課題を解決するための手段】
【０００９】
前記課題を解決するために、本発明による請求項１の誤り訂正符号化装置は、ハイビジョン信号のシリアルデジタルインターフェースの規格であるＨＤ−ＳＤＩのデータ形式で構成されたＨＤ−ＳＤＩ信号に、誤り訂正符号により前記ＨＤ−ＳＤＩ信号を符号化して生成されるパリティデータを多重化する誤り訂正符号化装置において、シリアル信号形式の前記ＨＤ−ＳＤＩ信号をパラレル信号形式のＨＤ−ＳＤＩデータに変換するシリアル・パラレル変換手段と、前記シリアル・パラレル変換手段により変換されたＨＤ−ＳＤＩデータから、前記誤り訂正符号化の符号化対象データを抽出する符号化対象データ抽出手段と、前記符号化対象データ抽出手段により抽出された符号化対象データを、前記誤り訂正符号により符号化し、前記パリティデータを生成する符号化手段と、前記符号化手段により生成されたパリティデータ、及び前記ＨＤ−ＳＤＩ信号を識別するための識別符号が、所定の禁止ワードのデータと一致しないようにビット単位の並び替えを行い、前記並び替えたパリティデータ及び識別符号を含む並び替えデータを生成する並び替え手段と、前記並び替え手段により生成されたパリティデータ及び識別符号を含む並び替えデータを、前記ＨＤ−ＳＤＩデータ内の補助データ領域に確保した所定領域に挿入するパリティ挿入手段と、前記パリティ挿入手段により挿入された並び替えデータを含むパラレル信号形式のＨＤ−ＳＤＩデータを、シリアル信号形式のＨＤ−ＳＤＩ信号に変換するパラレル・シリアル変換手段と、を備えたことを特徴とする。
【００１０】
また、本発明による請求項２の誤り訂正符号化装置は、請求項１に記載の誤り訂正符号化装置において、前記並び替え手段が、前記符号化手段により生成された所定数のパリティデータにおける同一ビット位置のビットデータと、所定の禁止ワードを回避するための禁止ワード回避ビットとを連結することにより、少なくとも前記ビットデータ及び前記禁止ワード回避ビットを含む並び替えデータを生成し、前記並び替えデータのうちの、前記ビットデータ及び前記禁止ワード回避ビット以外の予備データの領域に、前記ＨＤ−ＳＤＩ信号を識別するための識別符号を挿入することを特徴とする。
【００１１】
また、本発明による請求項３の誤り訂正符号化装置は、請求項１または２に記載の誤り訂正符号化装置において、前記符号化手段が、前記誤り訂正符号化を行う際の情報データ長を前記ＨＤ−ＳＤＩデータから抽出される符号化対象データのデータ長に短縮した短縮化リードソロモン符号により、前記符号化対象データを符号化することを特徴とする。
【００１２】
また、本発明による請求項４の誤り訂正符号化装置は、請求項３に記載の誤り訂正符号化装置において、前記符号化手段が、リードソロモン（１０２３,１００３）符号を短縮化した短縮化リードソロモン（９８６,９６６）符号により、前記符号化対象データを符号化することを特徴とする。
【００１３】
また、本発明による請求項５の誤り訂正符号化装置は、請求項１から４までのうちのいずれか一項に記載の誤り訂正符号化装置において、前記並び替え手段が、前記パリティデータ及び１個の識別符号を含む並び替えデータを生成することを特徴とする。
【００１４】
また、本発明による請求項６の誤り訂正符号化装置は、請求項１から４までのいずれか一項に記載の誤り訂正符号化装置において、前記並び替え手段が、前記パリティデータ及び複数の識別符号を含む並び替えデータを生成し、前記複数の識別符号は全て同一の符号とすることを特徴とする。
【００１５】
また、本発明による請求項７の誤り訂正符号化装置は、請求項１から４までのいずれか一項に記載の誤り訂正符号化装置において、前記シリアル・パラレル変換手段が、所定のワード単位のパラレル信号形式のＨＤ−ＳＤＩデータに変換し、前記符号化手段が、前記誤り訂正符号により、前記ワード単位のパリティデータを生成し、前記並び替え手段が、ワード単位のパリティデータ及び１ワード長よりも少ないビット数の識別符号を含む並び替えデータを生成することを特徴とする。
【００１６】
さらに、本発明による請求項８の誤り訂正復号装置は、請求項１から７までのいずれか一項に記載の誤り訂正符号化装置によりパリティデータが多重化されると共に、前記ＨＤ−ＳＤＩ信号を識別するための識別符号が多重化されたシリアル信号形式のＨＤ−ＳＤＩ信号を入力し、前記誤り訂正符号により前記ＨＤ−ＳＤＩ信号を復号する誤り訂正復号装置において、前記シリアル信号形式のＨＤ−ＳＤＩ信号をパラレル信号形式のＨＤ−ＳＤＩデータに変換するシリアル・パラレル変換手段と、前記シリアル・パラレル変換手段により変換されたＨＤ−ＳＤＩデータ内の補助データ領域に確保された所定領域から、前記所定の禁止ワードのデータと一致しないようにビット単位の並び替えが行われたパリティデータ及び識別符号を含む並び替えデータを抽出するパリティ抽出手段と、前記シリアル・パラレル変換手段により変換されたＨＤ−ＳＤＩデータから、前記誤り訂正復号の復号対象データを抽出する復号対象データ抽出手段と、前記パリティ抽出手段により抽出された並び替えデータに対し、前記並び替えとは逆の処理を行い、元のパリティデータ及び識別符号を生成するパリティ並び替え手段と、前記パリティ並び替え手段により生成されたパリティデータを用いて、前記復号対象データ抽出手段により抽出された復号対象データに対し、前記誤り訂正符号により復号し、復号データを生成する復号処理手段と、前記ＨＤ−ＳＤＩデータのうちの復号対象データを、前記復号処理手段により生成された復号データに置き換えるデータ置き換え手段と、前記データ置き換え手段により復号データに置き換えられたＨＤ−ＳＤＩデータを、シリアル信号形式のＨＤ−ＳＤＩ信号に変換するパラレル・シリアル変換手段と、前記パリティ並び替え手段により生成された、前記ＨＤ−ＳＤＩ信号を識別するための識別符号を出力する識別符号出力手段と、を備えたことを特徴とする。
【００１７】
また、本発明による請求項９の誤り訂正復号装置は、請求項８に記載の誤り訂正復号装置において、前記シリアル・パラレル変換手段が、前記パリティデータが多重化されると共に、前記ＨＤ−ＳＤＩ信号を識別するための複数の識別符号であって全てが同一の識別符号が多重化されたシリアル信号形式のＨＤ−ＳＤＩ信号をパラレル信号形式のＨＤ−ＳＤＩデータに変換し、前記識別符号出力手段が、前記パリティ並び替え手段により生成された複数の識別符号に対し、多数決により１個の識別符号を特定し、特定した識別符号を出力することを特徴とする。
【００１８】
さらに、本発明による請求項１０の受信装置は、請求項８または９に記載の誤り訂正復号装置を１台または複数台備えた受信装置において、前記誤り訂正復号装置の識別符号出力手段により出力された識別符号を表示する表示器を備えたことを特徴とする。
【００１９】
また、本発明による請求項１１の受信装置は、請求項８または９に記載の誤り訂正復号装置を複数台備えた受信装置において、さらに、前記識別符号出力手段により出力された識別符号を、前記誤り訂正復号装置毎に入力し、識別符号と出力端子との対応が定義された所定のテーブルに従って、前記誤り訂正復号装置毎の切り替え信号を生成する切替制御装置と、前記パラレル・シリアル変換手段により変換されたシリアル信号形式のＨＤ−ＳＤＩ信号を、前記誤り訂正復号装置毎に入力し、前記切替制御装置により生成された誤り訂正復号装置毎の切り替え信号を入力し、前記切り替え信号に基づいて、前記誤り訂正復号装置毎のＨＤ−ＳＤＩ信号のうち、１つのＨＤ−ＳＤＩ信号を選択する切り替えを行い、前記所定のテーブルに定義された識別符号のＨＤ−ＳＤＩ信号を、前記識別符号に対応する出力端子から外部へ出力する切替装置と、を備えたことを特徴とする。
【００２０】
さらに、本発明による請求項１２の伝送システムは、請求項１から７までのいずれか一項の誤り訂正符号化装置を１台または複数台備えた送信装置と、請求項８または９の誤り訂正復号装置を１台または複数台備えた受信装置とにより構成されることを特徴とする。
【発明の効果】
【００２１】
以上のように、本発明によれば、誤り訂正符号化装置が、ＨＤ−ＳＤＩデータを誤り訂正により符号化し、符号化により生成したパリティデータ、及びＨＤ−ＳＤＩ信号の識別符号を並び替えて多重化し、ＨＤ−ＳＤＩデータ内の補助データ領域に確保した所定領域に挿入し、パリティデータ及び識別符号を含むＨＤ−ＳＤＩ信号を生成する。また、誤り訂正復号装置は、パリティデータ及び識別符号を含むＨＤ−ＳＤＩ信号を入力し、ＨＤ−ＳＤＩデータ内の補助データ領域に確保した所定領域からパリティデータ及び識別符号を抽出し、パリティデータを用いて誤り訂正復号し、識別符号を出力するようにした。これにより、識別符号に基づいて、ＨＤ−ＳＤＩ信号がどのような信号であるかを識別することができる。したがって、ユーザーは、ＨＤ−ＳＤＩ信号の識別情報を表示器等の表示によって認識することにより、ＨＤ−ＳＤＩ信号が出力されるケーブルの接続作業の際に、ケーブルを正しく接続することができ、誤接続を防止することができる。
【図面の簡単な説明】
【００２２】
【図１】本発明の実施形態による伝送システムの全体構成を示す図である。
【図２】ＨＤ−ＳＤＩ信号の構成を説明する図である。
【図３】本発明の実施形態による送信装置及び受信装置の構成を示すブロック図である。
【図４】本発明の実施形態による誤り訂正符号化装置の構成を示すブロック図である。
【図５】並び替え後のパリティデータの配置例を説明する図である。
【図６】１ワードの識別符号を予備領域に格納した例を説明する図である。
【図７】５ワードの識別符号を予備領域に格納した例を説明する図である。
【図８】１／２ワードの識別符号を予備領域に格納した例を説明する図である。
【図９】本発明の実施形態による誤り訂正復号装置の構成を示すブロック図である。
【図１０】ＨＤ−ＳＤＩ信号識別情報の表示及びＨＤ−ＳＤＩ信号の出力端子を示す図である。
【図１１】受信装置の変形例を示すブロック図である。
【図１２】伝送システムの第１の適用例を説明する図である。
【図１３】伝送システムの第２の適用例を説明する図である。
【図１４】伝送システムの第３の適用例を説明する図である。
【図１５】他のＨＤ−ＳＤＩ信号識別情報の表示及びＨＤ−ＳＤＩ信号の出力端子を示す図である。
【図１６】誤り訂正符号化装置の処理手順を示すフローチャートである。
【図１７】誤り訂正復号装置の処理手順を示すフローチャートである。
【発明を実施するための形態】
【００２３】
以下、本発明を実施するための形態について図面を用いて詳細に説明する。
〔伝送システム〕
まず、デジタル映像信号を伝送する伝送システムの全体構成について説明する。図１は、本発明の実施形態による伝送システムの全体構成を示す図である。この伝送システム３は、ハイビジョン信号のシリアルデジタルインターフェースの規格であるＨＤ−ＳＤＩのデータ形式で構成された複数のＨＤ−ＳＤＩ信号を多重化して伝送するシステムであり、送信装置１及び受信装置２により構成される。送信装置１及び受信装置２は、伝送路７により接続される。
【００２４】
送信装置１は、複数のＨＤ−ＳＤＩ信号のそれぞれに対し、誤り訂正符号により符号化を行う。そして、符号化にて生成したパリティデータ、及びＨＤ−ＳＤＩ信号を識別するための符号（識別符号）を多重化してＨＤ−ＳＤＩ信号に挿入し、そして、複数のＨＤ−ＳＤＩ信号を多重化して伝送信号を生成し、伝送路７を介して受信装置２へ送信する。
【００２５】
受信装置２は、送信装置１から送信された伝送信号を受信し、伝送信号から多重化された複数のＨＤ−ＳＤＩ信号の分離を行う。そして、送信装置１にて使用された同じ誤り訂正符号によりパリティデータを用いて誤り訂正復号を行い、識別符号を抽出し、元の複数のＨＤ−ＳＤＩ信号及びＨＤ−ＳＤＩ信号の識別符号を出力する。
【００２６】
伝送路７は、送信装置１から受信装置２へ、多重化された複数のＨＤ−ＳＤＩ信号が伝送信号として伝送される通信路である。例えば、単方向の無線または有線の通信路である。
【００２７】
〔ＨＤ−ＳＤＩ信号〕
ＨＤ−ＳＤＩ信号は、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）の２９２Ｍで規格化されている、非圧縮のＨＤＴＶ映像と音声信号を多重して伝送するシリアルデジタルインターフェース規格の信号である。
【００２８】
図２は、ＨＤ−ＳＤＩ信号の構成（形式）を説明する図である。図２に示すように、ＨＤ−ＳＤＩ信号は、ＥＡＶ（Ｅｎｄ  ｏｆ  Ａｃｔｉｖｅ  Ｖｉｄｅｏ）、ＬＮ（Ｌｉｎｅ  Ｎｕｍｂｅｒ）、ＣＲＣＣ（Ｃｙｃｌｉｃ  Ｒｅｄｕｎｄａｎｃｙ  Ｃｈｅｃｋ  Ｃｏｄｅ）、補助データ、ＳＡＶ（Ｓｔａｒｔ  ｏｆ  Ａｃｔｉｖｅ  Ｖｉｄｅｏ）及び映像データ（デジタルアクティブライン）により構成される。ＥＡＶは、有効な映像データ期間の終了を示す識別子であり、サイズは４ワードである。ＬＮは、ライン番号を示すデータであり、サイズは２ワードである。ＣＲＣＣは、誤り検出符号データであり、サイズは２６８ワードである。ＳＡＶは、有効な映像データの期間の開始を示す識別子であり、サイズは４ワードである。
【００２９】
補助データは、音声データ、タイムコードデータ、パリティデータ及び識別符号等であり、サイズは２６８ワードである。この補助データの領域（補助データ領域、アンシラリー領域、ＨＡＮＣ領域）には、特許文献１に記載されているように、パリティデータが格納される領域が確保される。補助データ領域内のパリティデータ領域は、並び替えたパリティデータが格納される領域と、並び替えたパリティデータが格納されない予備領域とからなり、予備領域には、ＨＤ−ＳＤＩ信号を識別するための符号（識別符号）が格納される。尚、補助データ領域には、所定のデータ（禁止ワード）を格納することができない。このため、パリティデータ及び識別符号は、パリティデータ領域に格納される際に、禁止ワードのデータと一致しないように（禁止ワードを回避するために）並び替えられる。つまり、パリティデータ及び識別符号は、禁止ワードを回避するように並び替えられて多重化され、多重化されたデータが並び替えデータとして、補助データ領域内のパリティデータ領域に格納される。詳細については後述する。
【００３０】
また、映像データは、映像１画素あたり、輝度（Ｙ）信号１０ビット及び色差（Ｐｂ・Ｐｒ）信号１０ビットのデジタル信号により構成され、サイズは１９２０ワードである。このように、ＨＤ−ＳＤＩ信号は、映像データ及び補助データに、ＥＡＶ、ＬＮ、ＣＲＣＣ及びＳＡＶの同期信号が多重化され、シリアル信号の形式で伝送される。
【００３１】
〔送信装置及び受信装置〕
次に、図１に示した送信装置１及び受信装置２の構成について説明する。図３は、送信装置１及び受信装置２の構成を示すブロック図である。まず、送信装置１の構成について説明する。この送信装置１は、誤り訂正符号化装置１０−１〜１０−６、多重装置１１及び送信機１２を備えている。送信装置１は、６系統のＨＤ−ＳＤＩ信号を入力し、各ＨＤ−ＳＤＩ信号を符号化し、符号化にて生成したパリティデータ及び各信号の識別符号を含むＨＤ−ＳＤＩ信号を多重化し、伝送路７を介して受信装置２へ送信する。
【００３２】
送信装置１の誤り訂正符号化装置１０−１は、第１系統のＨＤ−ＳＤＩ信号を入力し、所定の誤り訂正符号によりＨＤ−ＳＤＩ信号を符号化する。そして、誤り訂正符号化装置１０−１は、符号化にて生成したパリティデータを、ＨＤ−ＳＤＩ信号の補助データ領域内に確保したパリティデータ領域に挿入すると共に、ＨＤ−ＳＤＩ信号の識別符号もそのパリティデータ領域（パリティデータ領域において、パリティデータが格納されない予備領域）に挿入し、パリティデータ及び識別符号を含むＨＤ−ＳＤＩ信号を多重装置１１に出力する。
【００３３】
誤り訂正符号化装置１０−２〜１０−６は、第２系統〜第６系統のＨＤ−ＳＤＩ信号をそれぞれ入力し、誤り訂正符号化装置１０−１と同様の処理を行い、パリティデータ及び識別符号を含むＨＤ−ＳＤＩ信号を多重装置１１に出力する。識別符号は、第１系統〜第６系統のＨＤ−ＳＤＩ信号を識別するための符号であるから、後述する受信装置２は、この識別符号に基づいて、第１系統〜第６系統のＨＤ−ＳＤＩ信号のうち、いずれの系統のＨＤ−ＳＤＩ信号であるかを特定することができる。
【００３４】
多重装置１１は、誤り訂正符号化装置１０−１〜１０−６から、パリティデータ及び識別符号を含むＨＤ−ＳＤＩ信号を入力し、これら６系統分のＨＤ−ＳＤＩ信号を多重化し、多重化信号として送信機１２に出力する。
【００３５】
送信機１２は、多重装置１１から多重化信号を入力し、予め設定された伝送形式の信号に変換し、伝送信号として伝送路７を介して受信装置２へ送信する。ここで、予め設定された伝送形式の信号に変換するとは、例えば、パラレル／シリアル変換及び信号増幅等の処理をいい、電気信号を光信号に変換すること、または電波形式の信号に変換することをいう。
【００３６】
次に、受信装置２の構成について説明する。図３を参照して、この受信装置２は、受信機２０、分離装置２１及び誤り訂正復号装置２２−１〜２２−６を備えている。受信装置２は、送信装置１から伝送路７を介して伝送信号を受信し、伝送信号から多重された６系統のＨＤ−ＳＤＩ信号を分離し、パリティデータ及び識別符号を抽出し、パリティデータを用いて誤り訂正復号を行い、元の６系統のＨＤ−ＳＤＩ信号及び識別符号を出力する。
【００３７】
受信装置２の受信機２０は、送信装置１から伝送路７を介して伝送信号を受信し、受信した伝送信号である電気、光または電波形式の信号を、後述する処理を行うために電気信号に変換し、分離装置２１に出力する。
【００３８】
分離装置２１は、受信機２０から信号を入力し、送信装置１の多重装置１１による多重化処理の逆の処理である分離処理を行い、送信装置１の誤り訂正符号化装置１０−１〜１０−６による誤り訂正符号化後の６系統分のＨＤ−ＳＤＩ信号に戻す。そして、分離装置２１は、分離した信号である誤り訂正符号化後の第１系統〜第６系統のＨＤ−ＳＤＩ信号を誤り訂正復号装置２２−１〜２２−６にそれぞれ出力する。
【００３９】
誤り訂正復号装置２２−１は、誤り訂正符号化後の第１系統のＨＤ−ＳＤＩ信号を入力し、ＨＤ−ＳＤＩ信号の補助データ領域内に確保されたパリティデータ領域からパリティデータ及び識別符号を抽出し、パリティデータを用いて誤り訂正復号を行い、元の第１系統のＨＤ−ＳＤＩ信号および識別符号を出力する。
【００４０】
誤り訂正復号装置２２−２〜２２−６は、誤り訂正符号化後の第２系統〜第６系統のＨＤ−ＳＤＩ信号をそれぞれ入力し、誤り訂正復号装置２２−１と同様の処理を行い、元の第２系統〜第６系統のＨＤ−ＳＤＩ信号および識別符号を出力する。
【００４１】
〔誤り訂正符号化装置〕
次に、図３に示した誤り訂正符号化装置１０−１〜１０−６（以下、総称して、誤り訂正符号化装置１０という。）について説明する。図４は、誤り訂正符号化装置１０の構成を示すブロック図である。この誤り訂正符号化装置１０は、シリアル・パラレル変換手段１０１、誤り訂正符号化対象データ抽出手段１０２、誤り訂正パリティ挿入手段１０３、パラレル・シリアル変換手段１０４、誤り訂正符号化手段１０５、誤り訂正パリティ並び替え手段１０６、ＨＤ−ＳＤＩ信号識別情報入力手段１０７及びＨＤ−ＳＤＩ信号識別符号生成手段１０８を備えている。
【００４２】
前述のとおり、誤り訂正符号化装置１０は、ＨＤ−ＳＤＩのデータ形式で構成されたＨＤ−ＳＤＩ信号を、誤り訂正符号により符号化し、符号化により生成したパリティデータをＨＤ−ＳＤＩ信号の補助データ領域内に確保したパリティデータ領域に挿入すると共に、ＨＤ−ＳＤＩ信号の識別符号もＨＤ−ＳＤＩ信号の補助データ領域内のパリティデータ領域（パリティデータが格納されない空き領域）に挿入し、パリティデータ及び識別符号を含むＨＤ−ＳＤＩ信号を出力する。
【００４３】
シリアル・パラレル変換手段１０１は、シリアルデジタル信号であるシリアル信号形式のＨＤ−ＳＤＩ信号を入力し、１ワード（１０ビット）単位でシリアルデータをパラレルデータに変換し、パラレルデジタル信号であるパラレル信号形式のＨＤ−ＳＤＩデータを誤り訂正符号化対象データ抽出手段１０２に出力する。
【００４４】
誤り訂正符号化対象データ抽出手段１０２は、シリアル・パラレル変換手段１０１からＨＤ−ＳＤＩデータを入力し、予め設定された誤り訂正の符号化対象データを抽出し、符号化対象データを誤り訂正符号化手段１０５に出力すると共に、入力したＨＤ−ＳＤＩデータを誤り訂正パリティ挿入手段１０３に出力する。具体的には、誤り訂正符号化対象データ抽出手段１０２は、入力したＨＤ−ＳＤＩデータの映像１ライン分のデータのうち、ＥＡＶ、ＬＮ、ＣＲＣＣ、ＳＡＶ及び映像データ（デジタルアクティブライン）の合計１９３２ワードを符号化対象データとして抽出する。そして、誤り訂正符号化対象データ抽出手段１０２は、抽出した符号化対象データを誤り訂正符号化手段１０５に出力する。また、誤り訂正符号化対象データ抽出手段１０２は、入力したＨＤ−ＳＤＩデータをそのまま誤り訂正パリティ挿入手段１０３に出力する。
【００４５】
誤り訂正パリティ挿入手段１０３は、誤り訂正符号化対象データ抽出手段１０２からＨＤ−ＳＤＩデータを入力すると共に、後述する誤り訂正パリティ並び替え手段１０６から並び替えデータ（パリティデータ及び識別符号）を入力する。そして、誤り訂正パリティ挿入手段１０３は、ＨＤ−ＳＤＩの規格で定められている補助データ多重規格に従って、並び替えデータを、ＨＤ−ＳＤＩデータ内の補助データ領域に確保したパリティデータ領域に挿入し、パリティデータ及び識別符号を含むＨＤ−ＳＤＩデータをパラレル・シリアル変換手段１０４に出力する。
【００４６】
パラレル・シリアル変換手段１０４は、誤り訂正パリティ挿入手段１０３からパラレルデジタル信号であるパラレル信号形式のパリティデータ及び識別符号を含むＨＤ−ＳＤＩデータを入力し、パラレルデータをシリアルデータに変換し、シリアルデジタル信号であるシリアル信号形式のＨＤ−ＳＤＩ信号を外部へ出力する。
【００４７】
誤り訂正符号化手段１０５は、誤り訂正符号化対象データ抽出手段１０２から符号化対象データを入力し、符号化対象データを所定の誤り訂正符号により符号化し、誤り訂正のパリティデータを生成する。そして、誤り訂正符号化手段１０５は、生成したパリティデータを誤り訂正パリティ並び替え手段１０６に出力する。ここで、誤り訂正符号化手段１０５は、誤り訂正符号としてリードソロモン（９８６，９６６）符号を用いることとし、１９３２ワードの符号化対象データを２分割し、９６６ワード毎にそれぞれ符号化を行い、９６６ワードの符号化対象データに対し、２０ワードのパリティデータを生成する。ＲＳ（９８６，９６６）符号は、ＲＳ（１０２３，１００３）符号の情報データ長を短縮化した短縮化ＲＳ符号である。尚、ＲＳ（９８６,９６６）符号を用いた符号化手法の詳細については、特許文献１を参照されたい。
【００４８】
このように、誤り訂正符号化手段１０５は、短縮化ＲＳ符号であるＲＳ（９８６，９６６）符号により、１９３２ワードの符号化対象データを２分割した９６６（＝１９３２／２）毎に符号化を行うようにした。これにより、符号化対象データのサイズに適合した符号化処理を行うことができるから、符号化処理の効率化を図ることができ、処理負荷を低減することができる。
【００４９】
誤り訂正パリティ並び替え手段１０６は、誤り訂正符号化手段１０５からパリティデータを入力すると共に、後述するＨＤ−ＳＤＩ信号識別符号生成手段１０８からＨＤ−ＳＤＩ信号の識別符号を入力する。そして、誤り訂正パリティ並び替え手段１０６は、パリティデータ及び識別符号が所定の禁止ワードと同じデータになることを回避するために、所定の並び替え規則に従って、パリティデータを構成するビットの並び替えを行い、並び替えに伴って生じた空き領域に識別符号を挿入し、パリティデータ及び識別符号を多重化した並び替えデータ（パリティデータ及び識別符号）を生成し、誤り訂正パリティ挿入手段１０３に出力する。つまり、誤り訂正パリティ並び替え手段１０６は、パリティデータ及び識別符号を構成するビットの並び替えを行い、パリティデータ及び識別符号を多重化した並び替えデータ（パリティデータ及び識別符号）を生成する。
【００５０】
例えば、後述する図５のように、誤り訂正パリティ並び替え手段１０６は、パリティデータについて、９ワードのパリティデータ毎に、同一ビット位置のビット（第１〜第９ビット目）と、禁止ワードを回避するための禁止ワード回避ビット（第１０ビット目）とを連結し、９ワードのパリティデータを並び替えたワード単位の並び替えデータを順次生成する。同様に、誤り訂正パリティ並び替え手段１０６は、４ワードのパリティデータについて、同一ビット位置のビット（第１〜第４ビット目）と、禁止ワードを回避するための禁止ワード回避ビット（第１０ビット目）とを連結し、４ワードのパリティデータを並び替えたワード単位の並び替えデータを順次生成する。この場合、第５〜第９ビット目には、５ワードの予備領域が生成され、この予備領域に識別符号が挿入される。図５において、並び替え前のデータは、１ワード単位に配置された横並びのデータであり、並び替えデータは、１ワード単位に配置された縦並びのデータである。詳細については後述する。
【００５１】
ここで、誤り訂正パリティ並び替え手段１０６は、映像１ライン分のデータに対し、１９３２ワードの符号化対象データに対する４０ワードのパリティデータを入力し、禁止ワードを回避するために、所定の並び替え規則に従って、パリティデータを構成するビットの並び替えを行い、予備データの領域に識別符号を挿入し、後述するように５０ワードの並び替えデータ（パリティデータ及び識別符号）を生成する。つまり、ＨＤ−ＳＤＩ信号の補助データ領域には、映像１ラインについて、並び替えデータが格納される５０ワードのパリティデータ領域が確保される。
【００５２】
図５は、誤り訂正パリティ並び替え手段１０６による並び替え処理後のパリティデータの配置例を説明する図である。誤り訂正パリティ並び替え手段１０６が１９３２ワードの符号化対象データに対する４０ワードのパリティデータ（１ワード単位に配置された横並びのデータ）から５０ワードの並び替えデータ（１ワード単位に配置された縦並びのデータ）を生成する際に、パリティデータは、図５に示すＲＳ領域に配置される。誤り訂正パリティ並び替え手段１０６は、ビットを横並びにしたＲＳ（Ｐａｒｉｔｙ１）〜ＲＳ（Ｐａｒｉｔｙ４０）領域にパリティデータを配置する。また、誤り訂正パリティ並び替え手段１０６は、禁止ワードを回避するために、縦並びの１０ビットを１ワードとした場合の第９ビット目に相当するＲＳ（Ｐａｒｉｔｙ９，１８，２７，３６）領域及び予備領域（Ｒｅｓｅｒｖｅｄ）のデータをそれぞれ反転させ、その反転させたデータを第９ビットの反転ワードの領域（縦並びの１０ビットを１ワードとした場合の第１０ビット目に相当する領域）に配置する。
【００５３】
この並び替えデータが格納される５０ワードの領域が、ＨＤ−ＳＤＩ信号の補助データ領域内に、パリティデータ領域として確保される。この５０ワードの領域には、４０ワードのパリティデータと、禁止ワードを回避するための５ワードのデータ（第９ビットを反転させて生成したデータ）と、５ワードの任意のデータ（予備領域に格納される予備データ）とが格納される。また、予備領域は、パリティデータ（第９ビットの反転ワードの領域を含む）が格納されない領域であり、後述するように、ＨＤ−ＳＤＩ信号を識別するための識別符号が格納される。
【００５４】
ＨＤ−ＳＤＩの規格において、補助データ領域内に他の制御コード等と重複して存在することを回避するために、所定の禁止ワードが規定されている。所定の禁止ワードと同じデータは、補助データ領域に格納することができない。１０ビット／１ワードとして、０００ｈ，００１ｈ，００２ｈ，００３ｈ，３ＦＣｈ，３ＦＤｈ，３ＦＥｈ，３ＦＦｈのデータが禁止ワードである（ｈは１６進数であることを示している。）。この場合、補助データ領域に、これらの禁止ワードと同じデータを格納しないようにするためには、所定の並び替え規則に従って、格納する９ワード分のワードデータについて、第１ビット目のみをまとめた９ビット長のデータに、９番目のワードデータの第１ビット目を反転させた１ビットのデータを禁止ワード回避ビットとして連結し、１ワードの並び替えデータを生成する。これにより、並び替えデータは、１××ｈまたは２××ｈ（９ビット目及び１０ビット目が「０１」または「１０」のデータ）となる。したがって、禁止ワードと同じ値のパリティデータが禁止ワード以外の並び替えデータに変換される。９ワード分のパリティデータ、または、９ワード分のパリティデータ及び識別符号についても同様に適用される。つまり、誤り訂正パリティ並び替え手段１０６は、禁止ワードを回避するための並び替え処理を行い、パリティデータおよび識別符号を１××ｈまたは２××ｈの並び替えデータに変換する。
【００５５】
図６は、１ワードの識別符号を予備領域に格納した例を説明する図であり、図７は、５ワードの識別符号を予備領域に格納した例を説明する図であり、図８は、１／２ワードの識別符号を予備領域に格納した例を説明する図である。前述したように、図６、図７及び図８に示す５０ワードの領域（並び替えデータが格納される５０ワードの領域）が、ＨＤ−ＳＤＩ信号の補助データ領域内に、パリティデータ領域として確保される。
【００５６】
図６を参照して、誤り訂正パリティ並び替え手段１０６は、９ワードのパリティデータ毎に、同一ビット位置のビット（第１〜第９ビット目）と、禁止ワードを回避するための禁止ワード回避ビット（第１０ビット目）とを連結し、パリティデータを並び替えたワード単位の並び替えデータを順次生成する。生成した並び替えデータは、図６に示すように、縦の１０ビットを１ワードとして、左から右へ向けて第１ワード目から第４０ワード目までのデータとなる。
【００５７】
また、誤り訂正パリティ並び替え手段１０６は、４ワードのパリティデータ（ＲＳ（Ｐａｒｉｔｙ３７）〜ＲＳ（Ｐａｒｉｔｙ４０））について、同一ビット位置のビット（第１〜第４ビット目）と、禁止ワードを回避するための禁止ワード回避ビット（第１０ビット目）とを連結し、４ワードのパリティデータを並び替えたワード単位の並び替えデータを順次生成する。第５ビット目から第９ビット目までの５ワードの領域（予備領域）には、予備データが生成される。生成した並び替えデータは、図６に示すように、縦の１０ビットを１ワードとして、左から右へ向けて第４１ワード目から第５０ワード目までのデータとなる。そして、誤り訂正パリティ並び替え手段１０６は、後述するＨＤ−ＳＤＩ信号識別符号生成手段１０８からＨＤ−ＳＤＩ信号の識別符号（１ワードの識別符号）を入力し、入力した１ワードの識別符号を、第４１ワード目から第５０ワード目までの第５ビット目の予備領域（識別符号１）に格納する。この場合、５ワードの予備領域のうち４ワードの予備領域は空き領域になるが、別途のデータを格納するようにしてもよい。
【００５８】
図７を参照して、誤り訂正パリティ並び替え手段１０６は、入力した１ワードの識別符号を、第４１ワード目から第５０ワード目までの第５ビット目〜第９ビット目の予備領域（５ワードの予備領域：識別符号１）にそれぞれ格納するようにしてもよい。これにより、伝送信号を無線または有線にて伝送しているときに、伝送誤りが識別符号１の位置に発生した場合であっても、受信装置２は、５個の識別符号について多数決を行うことにより、ＨＤ−ＳＤＩ信号を正しく識別することができ、伝送誤りに対する耐性を強くすることができる。
【００５９】
図８を参照して、誤り訂正パリティ並び替え手段１０６は、入力した識別符号を、第４６ワード目から第５０ワード目までの第５ビット目の予備領域（１／２ワード＝５ビットの予備領域：識別符号１）に格納するようにしてもよい。ＨＤ−ＳＤＩ信号の識別符号を５ビットで表すことができる場合には、識別符号をこの予備領域に格納することができ、多くの予備領域を残すことができる。これにより、他の用途のデータを予備領域に格納することができ、予備領域を有効に利用することができる。
【００６０】
尚、誤り訂正パリティ並び替え手段１０６は、図６、図７または図８に示したように、シリアルのパリティデータをパラレルに配置する並び替え規則により、識別符号を挿入して並び替えデータを生成するようにしたが、他の並び替え規則を用いるようにしてもよい。例えば、シリアルのパリティデータ（９ビット毎のデータ）に対し、禁止ワード回避ビット（第１０ビット目）を付加し、予備領域に識別符号を挿入して順次並び替えデータを生成するようにしてもよい。この場合、シリアルのパリティデータには、禁止ワード回避ビットが付加されることにより、ビット毎にずれることになる。これらの並び替え処理の詳細については、特許文献１を参照されたい。
【００６１】
また、図８に示したように、誤り訂正パリティ並び替え手段１０６は、入力した識別符号を、１／２ワード＝５ビットの予備領域に格納するようにしたが、識別符号を表すことができる範囲内で、１ワード長よりも少ないビット数の予備領域に格納するようにしてもよい。
【００６２】
図４に戻って、ＨＤ−ＳＤＩ信号識別情報入力手段１０７は、ユーザーがディップスイッチ（ＤＩＰＳＷ）、ロータリースイッチ等を操作することにより、ＨＤ−ＳＤＩ信号を識別するための情報（識別情報）を入力し、ＨＤ−ＳＤＩ信号の識別情報をＨＤ−ＳＤＩ信号識別符号生成手段１０８に出力する。例えば、１６本のＨＤ−ＳＤＩ信号をまとめて伝送する場合、１６本の中から１本のＨＤ−ＳＤＩ信号を識別することが可能な数字（１から１６までの間の任意の１つの数字）が識別情報として入力される。
【００６３】
ＨＤ−ＳＤＩ信号識別符号生成手段１０８は、ＨＤ−ＳＤＩ信号識別情報入力手段１０７からＨＤ−ＳＤＩ信号の識別情報を入力し、識別情報を符号化して識別符号を生成する。そして、ＨＤ−ＳＤＩ信号識別符号生成手段１０８は、ＨＤ−ＳＤＩ信号の識別符号を誤り訂正パリティ並び替え手段１０６に出力する。例えば、ＨＤ−ＳＤＩ信号識別符号生成手段１０８は、ＨＤ−ＳＤＩ信号識別情報入力手段１０７から識別情報として「１」を入力した場合、識別情報「１」から１ワード／１０ビットのデータである「０００００００００１」の識別符号を生成する。この例では、１ワードは１０ビットあるため、受信装置２は、２１０本のＨＤ−ＳＤＩ信号を識別することができる。
【００６４】
（誤り訂正符号化装置の処理手順）
次に、図４に示した誤り訂正符号化装置１０の処理手順について説明する。図１６は、誤り訂正符号化装置１０の処理手順を示すフローチャートである。まず、誤り訂正符号化装置１０のシリアル・パラレル変換手段１０１は、シリアル信号形式のＨＤ−ＳＤＩ信号を１ワード単位でパラレル信号形式のＨＤ−ＳＤＩデータに変換する（ステップＳ１６０１）。そして、誤り訂正符号化対象データ抽出手段１０２は、ＨＤ−ＳＤＩデータの映像１ライン分のデータのうち、所定の１９３２ワードを符号化対象データとして抽出する（ステップＳ１６０２）。
【００６５】
誤り訂正符号化手段１０５は、符号化対象データを、短縮化ＲＳ符号であるＲＳ（９８６，９６６）により符号化し、映像１ライン分のデータにつき４０ワードのパリティデータを生成する（ステップＳ１６０３）。そして、誤り訂正パリティ並び替え手段１０６は、パリティデータ及び識別符号が所定の禁止ワードと同じデータになることを回避するために、所定の並び替え規則に従ってビット単位で並び替えを行うことにより、パリティデータ及び識別符号を多重化し、並び替えデータを生成する（ステップＳ１６０４）。並び替えデータは、４０ワードのパリティデータにつき５０ワード長である。
【００６６】
誤り訂正パリティ挿入手段１０３は、並び替えデータを、ＨＤ−ＳＤＩデータ内の補助データ領域に確保したパリティデータ領域に挿入する（ステップＳ１６０５）。そして、パラレル・シリアル変換手段１０４は、パラレル信号形式のＨＤ−ＳＤＩデータをシリアル信号形式のＨＤ−ＳＤＩ信号に変換する（ステップＳ１６０６）。
【００６７】
このように、誤り訂正符号化装置１０によれば、ＨＤ−ＳＤＩ信号を誤り訂正符号により符号化して生成したパリティデータ、及びＨＤ−ＳＤＩ信号の識別符号が、ＨＤ−ＳＤＩ信号の補助データ領域に確保したパリティデータ領域に挿入され、送信装置１により、パリティデータ及び識別符号を含むＨＤ−ＳＤＩ信号が受信装置２へ送信される。ＨＤ−ＳＤＩ信号の識別符号は、パリティデータに多重化されてパリティデータ領域に格納されるから、識別符号を格納するための領域を補助データ領域内に新たに確保する必要がなく、補助データ領域を他の用途に有効に利用することができる。
【００６８】
また、受信装置２が、パリティデータ及び識別符号を含むＨＤ−ＳＤＩ信号を受信し、ＨＤ−ＳＤＩ信号の補助データ領域に確保されたパリティデータ領域からパリティデータ及び識別符号を抽出することにより、元のＨＤ−ＳＤＩ信号及び識別符号を出力することができ、識別符号に基づいてＨＤ−ＳＤＩ信号を識別することができる。したがって、受信装置２が、ＨＤ−ＳＤＩ信号の識別符号（識別情報）を表示器に表示することにより、ユーザーは、ＨＤ−ＳＤＩ信号の識別情報を認識することができ、ＨＤ−ＳＤＩ信号が出力されるケーブルの接続作業の際に、ケーブルを正しく接続することができ、誤接続を防止することができる。
【００６９】
〔誤り訂正復号装置〕
次に、図３に示した誤り訂正復号装置２２−１〜２２−６（以下、総称して、誤り訂正復号装置２２という。）について説明する。図９は、誤り訂正復号装置２２の構成を示すブロック図である。この誤り訂正復号装置２２は、シリアル・パラレル変換手段２０１、誤り訂正パリティ抽出手段２０２、誤り訂正復号対象データ抽出手段２０３、誤り訂正データ置き換え手段２０４、パラレル・シリアル変換手段２０５、誤り訂正パリティ並び替え手段２０６、誤り訂正復号処理手段２０７、ＨＤ−ＳＤＩ信号識別情報生成手段２０８及びＨＤ−ＳＤＩ信号識別情報表示手段２０９を備えている。
【００７０】
前述のとおり、誤り訂正復号装置２２は、誤り訂正符号化後のＨＤ−ＳＤＩ信号の補助データ領域に確保されたパリティデータ領域からパリティデータ及び識別符号を抽出し、パリティデータを用いて誤り訂正復号を行い、元のＨＤ−ＳＤＩ信号および識別符号を出力する。
【００７１】
シリアル・パラレル変換手段２０１は、シリアルデジタル信号であるシリアル信号形式のＨＤ−ＳＤＩ信号を入力し、１ワード（１０ビット）単位でシリアルデータをパラレルデータに変換し、パラレルデジタル信号であるパラレル信号形式のＨＤ−ＳＤＩデータを誤り訂正パリティ抽出手段２０２に出力する。
【００７２】
誤り訂正パリティ抽出手段２０２は、シリアル・パラレル変換手段２０１からＨＤ−ＳＤＩデータを入力し、ＨＤ−ＳＤＩデータ内の補助データ領域に確保されたパリティデータ領域から並び替えデータ（パリティデータ及び識別符号）を抽出し、誤り訂正パリティ並び替え手段２０６に出力すると共に、入力したＨＤ−ＳＤＩデータをそのまま誤り訂正復号対象データ抽出手段２０３に出力する。
【００７３】
誤り訂正復号対象データ抽出手段２０３は、誤り訂正パリティ抽出手段２０２からＨＤ−ＳＤＩデータを入力し、予め設定された誤り訂正の復号対象データを抽出し、復号対象データを誤り訂正復号処理手段２０７に出力すると共に、入力したＨＤ−ＳＤＩデータを誤り訂正データ置き換え手段２０４に出力する。具体的には、誤り訂正復号対象データ抽出手段２０３は、前述した誤り訂正符号化対象データ抽出手段１０２と同様に、入力したＨＤ−ＳＤＩデータの映像１ライン分のデータのうち、ＥＡＶ、ＬＮ、ＣＲＣＣ、ＳＡＶ及び映像データ（デジタルアクティブライン）の合計１９３２ワードを復号対象データとして抽出する。そして、誤り訂正復号対象データ抽出手段２０３は、抽出した復号対象データを誤り訂正復号処理手段２０７に出力する。また、誤り訂正復号対象データ抽出手段２０３は、入力したＨＤ−ＳＤＩデータをそのまま誤り訂正データ置き換え手段２０４に出力する。
【００７４】
誤り訂正データ置き換え手段２０４は、誤り訂正復号対象データ抽出手段２０３からＨＤ−ＳＤＩデータを入力すると共に、後述する誤り訂正復号処理手段２０７から復号データを入力し、ＨＤ−ＳＤＩデータのうちの復号対象データの部分を、誤り訂正復号が行われた復号データに置き替え、誤り訂正復号が行われたＨＤ−ＳＤＩデータをパラレル・シリアル変換手段２０５に出力する。
【００７５】
パラレル・シリアル変換手段２０５は、誤り訂正データ置き換え手段２０４から誤り訂正復号が行われたパラレルデジタル信号であるパラレル信号形式のＨＤ−ＳＤＩデータを入力し、パラレルデータをシリアルデータに変換し、シリアルデジタル信号であるシリアル信号形式のＨＤ−ＳＤＩ信号を外部へ出力する。
【００７６】
誤り訂正パリティ並び替え手段２０６は、誤り訂正パリティ抽出手段２０２から並び替えデータ（パリティデータ及び識別符号）を入力し、前述した誤り訂正パリティ並び替え手段１０６の処理とは逆の並び替え処理を行い、パリティデータ及び識別符号を生成する。そして、誤り訂正パリティ並び替え手段２０６は、パリティデータを誤り訂正復号処理手段２０７に出力し、識別符号をＨＤ−ＳＤＩ信号識別情報生成手段２０８に出力する。例えば、誤り訂正パリティ並び替え手段２０６は、図６、図７及び図８に示した並び替えデータ（パリティデータ及び識別符号）の配置から、パリティデータ及び識別符号を抽出する。
【００７７】
図６に示した配置の場合、誤り訂正パリティ並び替え手段２０６は、第１ワード目から第４０ワード目までの並び替えデータについて、第１ビット目から第９ビット目までのＲＳ領域からパリティデータを抽出し、第４１ワード目から第５０ワード目の並び替えデータについて、第１ビット目から第４ビット目までのＲＳ領域からパリティデータを抽出する。また、誤り訂正パリティ並び替え手段２０６は、第４１ワード目から第５０ワード目までの第５ビット目の予備領域（識別符号１）から１個の識別符号を抽出する。また、図７に示した配置の場合、誤り訂正パリティ並び替え手段２０６は、図６の場合と同様にパリティデータを抽出し、第４１ワード目から第５０ワード目までの並び替えデータについて、第５ビット目から第９ビット目までの予備領域（５ワードの予備領域：識別符号１）から５個の識別符号を抽出する。また、図８に示した配置の場合、誤り訂正パリティ並び替え手段２０６は、図６及び図７の場合と同様にパリティデータを抽出し、第４６ワード目から第５０ワード目までの並び替えデータについて、第５ビット目の予備領域（１／２ワードの予備領域：識別符号１）から１個の識別符号を抽出する。尚、誤り訂正パリティ並び替え手段２０６による並び替え処理の詳細については、特許文献１を参照されたい。
【００７８】
誤り訂正復号処理手段２０７は、誤り訂正復号対象データ抽出手段２０３から復号対象データを入力すると共に、誤り訂正パリティ並び替え手段２０６からパリティデータを入力し、復号対象データを所定の誤り訂正符号により誤り訂正復号し、復号データを生成する。そして、誤り訂正復号処理手段２０７は、生成した復号データを誤り訂正データ置き換え手段２０４に出力する。ここで、誤り訂正復号処理手段２０７は、前述した誤り訂正符号化手段１０５と同様に、誤り訂正符号としてＲＳ（９８６,９６６）符号を用いることとし、１９３２ワードの復号対象データを２分割し、９６６ワード毎の復号対象データに対し、２０ワードのパリティデータを用いて復号を行う。尚、ＲＳ（９８６,９６６）符号による復号手法の詳細については、特許文献１を参照されたい。
【００７９】
ＨＤ−ＳＤＩ信号識別情報生成手段２０８は、誤り訂正パリティ並び替え手段２０６から識別符号を入力し、識別符号を復号してＨＤ−ＳＤＩ信号の識別情報を生成し、ＨＤ−ＳＤＩ信号の識別情報をＨＤ−ＳＤＩ信号識別情報表示手段２０９に出力する。
【００８０】
ここで、図７に示した例では、ＨＤ−ＳＤＩ信号識別情報生成手段２０８は、誤り訂正パリティ並び替え手段２０６により抽出された５個の識別符号を入力する。そして、ＨＤ−ＳＤＩ信号識別情報生成手段２０８は、５個の識別符号について多数決を行い、識別符号を特定し、特定した識別符号を復号して識別情報を生成する。これにより、伝送信号を無線または有線にて伝送しているときに、伝送誤りが識別符号１の位置に発生した場合であっても、ＨＤ−ＳＤＩ信号を正しく識別することができる。つまり、多数決判定により、伝送誤りに対する耐性を強くすることができる。
【００８１】
ＨＤ−ＳＤＩ信号識別情報表示手段２０９は、識別情報を表示する表示器であり、ＨＤ−ＳＤＩ信号識別情報生成手段２０８からＨＤ−ＳＤＩ信号の識別情報を入力し、識別情報を表示する。
【００８２】
（誤り訂正復号装置の処理手順）
次に、図９に示した誤り訂正復号装置２２の処理手順について説明する。図１７は、誤り訂正復号装置２２の処理手順を示すフローチャートである。まず、誤り訂正復号装置２２のシリアル・パラレル変換手段２０１は、シリアル信号形式のＨＤ−ＳＤＩ信号を１ワード単位でパラレル信号形式のＨＤ−ＳＤＩデータに変換する（ステップＳ１７０１）。そして、誤り訂正パリティ抽出手段２０２は、ＨＤ−ＳＤＩデータ内の補助データ領域に確保されたパリティデータ領域から並び替えデータを抽出する（ステップＳ１７０２）。また、誤り訂正復号対象データ抽出手段２０３は、ＨＤ−ＳＤＩデータから所定の復号対象データを抽出する（ステップＳ１７０３）。
【００８３】
誤り訂正パリティ並び替え手段２０６は、並び替えデータに対し、図１６に示したステップＳ１６０４の処理とは逆の並び替え処理を行い、パリティデータ及び識別符号を生成する（ステップＳ１７０４）。そして、誤り訂正復号処理手段２０７は、パリティデータを用いて復号対象データを誤り訂正復号し、復号データを生成する（ステップＳ１７０５）。また、ＨＤ−ＳＤＩ信号識別情報生成手段２０８は、識別符号から識別情報を生成し、ＨＤ−ＳＤＩ信号識別情報表示手段２０９は、識別情報を表示する。
【００８４】
誤り訂正データ置き換え手段２０４は、ＨＤ−ＳＤＩデータ内の復号対象データを復号データに置き替える（ステップＳ１７０６）。そして、パラレル・シリアル変換手段２０５は、パラレル信号形式のＨＤ−ＳＤＩデータをシリアル信号形式のＨＤ−ＳＤＩ信号に変換する（ステップＳ１７０７）。
【００８５】
このように、誤り訂正復号装置２２によれば、ＨＤ−ＳＤＩ信号からパリティデータ及び識別符号を抽出し、パリティデータを用いて元のＨＤ−ＳＤＩ信号に復号し、識別符号から識別情報を生成するから、識別情報に基づいてＨＤ−ＳＤＩ信号を確実に識別することができる。また、ＨＤ−ＳＤＩ信号識別情報表示手段２０９は、送信装置１に入力されたＨＤ−ＳＤＩ信号の識別情報を表示する。これにより、このＨＤ−ＳＤＩ信号識別情報表示手段２０９に表示された識別情報を見るユーザーは、送信装置１から伝送路７を介して伝送され、受信装置２から出力されるＨＤ−ＳＤＩ信号がどのような信号であるかを認識することができる。また、ＨＤ−ＳＤＩ信号が出力されるケーブルの接続作業の際に、ケーブルを正しく接続することができ、誤接続を防止することができる。
【００８６】
また、図３に示したように、６台の誤り訂正復号装置２２−１〜２２−６を備えた受信装置２は、誤り訂正復号装置２２−１〜２２−６が出力する６本のＨＤ−ＳＤＩ信号と、これらの識別情報とを組み合わせることにより、６本のＨＤ−ＳＤＩ信号をそれぞれ識別することができると共に、所定の設定に従って、ＨＤ−ＳＤＩ信号を切り替えることができる。詳細については後述する。
【００８７】
（ＨＤ−ＳＤＩ信号識別情報の表示形態）
次に、図３に示した受信装置２におけるＨＤ−ＳＤＩ信号識別情報の表示形態について説明する。図１０は、ＨＤ−ＳＤＩ信号識別情報の表示及びＨＤ−ＳＤＩ信号の出力端子を示す図であり、図３に示した受信装置２における筐体の一側面を示している。前述のとおり、図３に示した伝送システム３は、１台の送信装置１及び１台の受信装置２を備えて構成され、６本のＨＤ−ＳＤＩ信号を伝送するシステムである。受信装置２が、６本のＨＤ−ＳＤＩ信号を出力すると共に、それぞれの識別情報を表示するために、受信装置２における筐体の一側面には、６個の表示器であるＨＤ−ＳＤＩ信号識別情報表示手段２０９−１〜２０９−６、及び６個の出力端子２１０−１〜２１０−６が設けられている。
【００８８】
ＨＤ−ＳＤＩ信号識別情報表示手段２０９−１には、誤り訂正復号装置２２−１から出力されるＨＤ−ＳＤＩ信号の識別情報が表示される。また、ＨＤ−ＳＤＩ信号識別情報表示手段２０９−２〜２０９−６には、誤り訂正復号装置２２−２〜２２−６から出力されるＨＤ−ＳＤＩ信号の識別情報がそれぞれ表示される。図１０の例では、ＨＤ−ＳＤＩ信号識別情報表示手段２０９−１〜２０９−６には、識別情報として「０１」〜「０６」が表示されている。
【００８９】
出力端子２１０−１にはケーブルが接続され、出力端子２１０−１から、誤り訂正復号装置２２−１により復号されたＨＤ−ＳＤＩ信号が出力される。また、出力端子２１０−２〜２１０−６にもそれぞれケーブルが接続され、出力端子２１０−２〜２１０−６から、誤り訂正復号装置２２−２〜２２−６により復号されたＨＤ−ＳＤＩ信号がそれぞれ出力される。したがって、ＨＤ−ＳＤＩ信号識別情報表示手段２０９−１に表示される識別情報と出力端子２１０−１から出力されるＨＤ−ＳＤＩ信号とは対応しており、出力端子２１０−１から出力されるＨＤ−ＳＤＩ信号の識別情報「０１」が、ＨＤ−ＳＤＩ信号識別情報表示手段２０９−１に表示されることになる。ＨＤ−ＳＤＩ信号識別情報表示手段２０９−２〜２０９−６及び出力端子２１０−２〜２１０−６についても同様である。
【００９０】
これにより、ユーザーは、ＨＤ−ＳＤＩ信号識別情報表示手段２０９−１〜２０９−６に表示された識別情報により、出力端子２１０−１〜２１０−６から出力されるＨＤ−ＳＤＩ信号がどのような信号であるかを認識することができる。図１０の例では、ＨＤ−ＳＤＩ信号識別情報表示手段２０９−１に「０１」が表示されているから、ユーザーは、出力端子２１０−１から出力されるＨＤ−ＳＤＩ信号の識別情報が「０１」であることを認識することができる。同様に、ＨＤ−ＳＤＩ信号識別情報表示手段２０９−２〜２０９−６に「０２」〜「０６」が表示されているから、ユーザーは、出力端子２１０−２〜２１０−６から出力されるＨＤ−ＳＤＩ信号の識別情報が「０２」〜「０６」であることを認識することができる。したがって、ユーザーは、出力端子２１０−１〜２１０−６にケーブルを接続する際に、出力端子２１０−１〜２１０−６とケーブルとを対応付け、ケーブルを正しい出力端子２１０−１〜２１０−６に接続することができるから、ケーブルの誤接続を防止することができる。
【００９１】
尚、図１０の例では、ＨＤ−ＳＤＩ信号識別情報表示手段２０９−１〜２０９−６に表示される識別情報は数字であるが、アルファベット、記号等のアスキー文字であってもよいし、アルファベットと数字の組み合わせ、漢字等であってもよい。
【００９２】
図１５は、３台の送信装置１−１〜１−３及び３台の受信装置２−１〜２−３を備えて構成される伝送システムが１８本のＨＤ−ＳＤＩ信号を伝送する場合において、ＨＤ−ＳＤＩ信号識別情報の表示及びＨＤ−ＳＤＩ信号の出力端子を示す図であり、受信装置２−１〜２−３における筐体の一側面を示している。受信装置２−１〜２−３は、それぞれ６本のＨＤ−ＳＤＩ信号を出力する。また、識別情報を表示するために、受信装置２−１〜２−３の筐体の一側面には、６個の表示器であるＨＤ−ＳＤＩ信号識別情報表示手段２０９、及び６個の出力端子２１０がそれぞれ設けられている。
【００９３】
受信装置２−１〜２−３のそれぞれのＨＤ−ＳＤＩ信号識別情報表示手段２０９には、ＨＤ−ＳＤＩ信号の識別情報が表示される。それぞれの出力端子２１０にはケーブルが接続され、出力端子２１０からＨＤ−ＳＤＩ信号が出力される。したがって、ＨＤ−ＳＤＩ信号識別情報表示手段２０９に表示される識別情報と出力端子２１０から出力されるＨＤ−ＳＤＩ信号とは対応しており、出力端子２１０から出力されるＨＤ−ＳＤＩ信号の識別情報が、ＨＤ−ＳＤＩ信号識別情報表示手段２０９に表示されることになる。
【００９４】
これにより、ユーザーは、図１０の場合と同様に、ＨＤ−ＳＤＩ信号識別情報表示手段２０９に表示された識別情報により、出力端子２１０から出力されるＨＤ−ＳＤＩ信号がどのような信号であるかを認識することができる。図１５の例では、ＨＤ−ＳＤＩ信号識別情報表示手段２０９に「０１」〜「１８」が表示されているから、ユーザーは、ＨＤ−ＳＤＩ信号識別情報表示手段２０９に対応する出力端子２１０から出力されるＨＤ−ＳＤＩ信号の識別情報が「０１」〜「１８」であることを認識することができる。したがって、ユーザーは、出力端子２１０にケーブルを接続する際に、出力端子２１０とケーブルとを対応付け、ケーブルを正しい出力端子２１０に接続することができるから、ケーブルの誤接続を防止することができる。
【００９５】
〔変形例〕
次に、図３に示した受信装置２の変形例について説明する。この受信装置２の変形例は、６本のＨＤ−ＳＤＩ信号について、それぞれの識別情報に基づいて、所定のＨＤ−ＳＤＩ信号を選択して所定の出力端子から出力したり、所定の順番にＨＤ−ＳＤＩ信号を並び替えて出力したりする例である。
【００９６】
図１１は、受信装置２の変形例の構成を示すブロック図である。この受信装置８は、受信機２０、分離装置２１、誤り訂正復号装置２２−１〜２２−６、切替制御装置２３及び切替装置２４を備えている。図３に示した受信装置２とこの受信装置８とを比較すると、両受信装置２，８は、受信機２０、分離装置２１及び誤り訂正復号装置２２−１〜２２−６を備えている点で同一であるが、受信装置８は、これに加え切替制御装置２３及び切替装置２４を備えている点で相違する。図１１において、図３の受信装置２と共通する部分には図３と同一の符号を付し、その詳しい説明は省略する。
【００９７】
誤り訂正復号装置２２−１〜２２−６は、ＨＤ−ＳＤＩ信号の補助データ領域に確保されたパリティデータ領域からパリティデータ及び識別符号を抽出し、パリティデータを用いて誤り訂正復号を行い、元のＨＤ−ＳＤＩ信号を第１系統〜第６系統のＨＤ−ＳＤＩ信号として切替装置２４にそれぞれ出力する。また、誤り訂正復号装置２２−１〜２２−６は、抽出した識別符号から識別情報を生成し、第１系統〜第６系統の識別情報として切替制御装置２３にそれぞれ出力する。
【００９８】
切替制御装置２３は、誤り訂正復号装置２２−１〜２２−６から第１系統〜第６系統の識別情報を入力し、所定の出力配置テーブルに従って第１系統〜第６系統の切り替え信号をそれぞれ生成し、切替装置２４に出力する。例えば、出力配置テーブルに、第１の出力端子から識別情報１のＨＤ−ＳＤＩ信号を出力し、第２〜第６の出力端子から識別情報２〜識別情報６のＨＤ−ＳＤＩ信号をそれぞれ出力することが定義されており、切替制御装置２３が、第１系統の識別情報として識別情報２を入力し、第２系統〜第６系統の識別情報として識別情報３〜６，１をそれぞれ入力した場合、切替制御装置２３は、この出力配置テーブルに従って、第１系統の切り替え信号として、第１の入力端子と第２の出力端子とを接続する切り替え信号を生成し、第２系統〜第６系統の切り替え信号として、第２〜第６の入力端子と第３〜第６及び第１の出力端子とをそれぞれ接続する切り替え信号を生成する。これにより、切替制御装置２３は、この出力配置テーブルの定義のとおり、切替装置２４に、第１〜第６の出力端子から識別情報１〜識別情報６のＨＤ−ＳＤＩ信号をそれぞれ出力させることができる。
【００９９】
切替装置２４は、誤り訂正復号装置２２−１〜２２−６から第１系統〜第６系統のＨＤ−ＳＤＩ信号を入力すると共に、切替制御装置２３から第１系統〜第６系統の切り替え信号を入力し、これらの切り替え信号に従って、６個の入力端子と６個の出力端子との間の接続の切り替えを行って、第１系統〜第６系統のＨＤ−ＳＤＩ信号のうちの１つのＨＤ−ＳＤＩ信号をそれぞれ選択し、所定の出力配置テーブルに従ったＨＤ−ＳＤＩ信号をそれぞれの出力端子から出力する。前述の例では、切替装置２４は、第１の出力端子から識別情報１のＨＤ−ＳＤＩ信号を出力し、第２〜第６の出力端子から識別情報２〜識別情報６のＨＤ−ＳＤＩ信号を出力する。
【０１００】
このように、図１１に示した受信装置２の変形例（受信装置８）によれば、６本のＨＤ−ＳＤＩ信号に対し、それぞれの識別情報に基づいて、出力配置テーブルに従った切り替えを行い、所定の出力端子から所定のＨＤ−ＳＤＩ信号をそれぞれ出力することができる。これにより、ユーザーは、出力端子から出力させたいＨＤ−ＳＤＩ信号の対応を出力配置テーブルに定義しておけば、所望のＨＤ−ＳＤＩ信号を所望の出力端子から出力させることができる。したがって、ユーザーは、ＨＤ−ＳＤＩ信号がどのような信号であるかを認識することなく、ケーブルの誤接続を確実に防止することができる。特に、ケーブルが受信装置２の出力端子に予め固定的に接続されており、ケーブルの接続を物理的に変更することができない場合に有効である。
【０１０１】
尚、図１１に示した受信装置８は、出力配置テーブルに従って、所定の順番にＨＤ−ＳＤＩ信号を並び替えて出力するようにしたが、複数のＨＤ−ＳＤＩ信号から所定の識別情報のＨＤ−ＳＤＩ信号のみを選択し、選択したＨＤ−ＳＤＩ信号のみを出力端子から出力するようにしてもよい。
【０１０２】
〔伝送システムの適用例〕
次に、図１及び図３に示した伝送システム３の適用例について説明する。図１２は、第１の適用例を説明する図である。この第１の適用例は、複数のカメラを１台の送信装置１に接続した例である。送信装置１には複数のカメラ４が接続され、受信装置２には複数のモニター５及び録画装置６が接続されている。送信装置１は、複数のカメラからＨＤ−ＳＤＩ信号をそれぞれ入力し、複数のＨＤ−ＳＤＩ信号を誤り訂正符号化し、ＨＤ−ＳＤＩ信号にパリティデータ及び識別符号を挿入し、ＨＤ−ＳＤＩ信号を多重化し、伝送路７を介して受信装置２へ送信する。受信装置２は、送信装置１から伝送路７を介して多重化されたＨＤ−ＳＤＩ信号を受信し、多重化されたＨＤ−ＳＤＩ信号を分離し、パリティデータ及び識別符号を抽出し、パリティデータに基づいてＨＤ−ＳＤＩ信号を誤り訂正復号し、識別符号からＨＤ−ＳＤＩ信号の識別情報を生成して表示器（図示せず）に表示する。そして、受信装置２の出力端子には、識別情報に従ってユーザーによりケーブルが接続される。受信装置２は、復号したＨＤ−ＳＤＩ信号を、出力端子から複数のモニター５へそれぞれ出力すると共に録画装置６に保存する。
【０１０３】
図１３は、第２の適用例を説明する図である。この第２の適用例は、複数のＨＤ−ＳＤＩ信号に分けて出力する１台のカメラを１台の送信装置１に接続した例である。送信装置１には１台のカメラ４が接続され、受信装置２にはモニター５及び録画装置６が接続されている。カメラ４は、撮影した映像信号を複数のＨＤ−ＳＤＩ信号に分けて送信装置１へ出力する。送信装置１は、複数のＨＤ−ＳＤＩ信号を入力し、誤り訂正符号化及びパリティデータ及び識別符号の挿入、多重化を行い、受信装置２へ送信する。受信装置２は、多重化されたＨＤ−ＳＤＩ信号を受信して分離し、パリティデータ及び識別符号の抽出、誤り訂正復号、識別情報の生成及び表示を行う。そして、第１の適用例と同様に、ユーザーによりケーブルの接続が行われる。受信装置２は、復号した複数のＨＤ−ＳＤＩ信号をそれぞれの出力端子からモニター５へ出力すると共に録画装置６に保存する。この場合、モニター５及び録画装置６は、１本の映像信号の代わりに、映像信号を構成する複数のＨＤ−ＳＤＩ信号を入力する。
【０１０４】
図１４は、第３の適用例である。この第３の適用例は、複数のＨＤ−ＳＤＩ信号に分けて出力する１台のカメラを３台の送信装置１−１〜１−３に接続した例であり、図１に示した伝送システム３を３系統備えて構成した例である。送信装置１−１〜１−３には１台のカメラ４が接続され、受信装置２−１〜２−３にはモニター５及び録画装置６が接続されている。カメラ４は、超高精細映像撮影カメラであり、撮影した映像信号を複数のＨＤ−ＳＤＩ信号に分けて送信装置１−１〜１−３へそれぞれ出力する。送信装置１−１〜１−３は、複数のＨＤ−ＳＤＩ信号を入力し、誤り訂正符号化及びパリティデータ及び識別符号の挿入、多重化を行い、伝送路７−１〜７−３を介して受信装置２−１〜２−３へそれぞれ送信する。受信装置２−１〜２−３は、多重化されたＨＤ−ＳＤＩ信号を受信して分離し、パリティデータ及び識別符号の抽出、誤り訂正復号、識別情報の生成及び表示を行う。そして、第１及び第２の適用例と同様に、ユーザーによりケーブルの接続が行われる。受信装置２−１〜２−３は、第２の適用例と同様に、復号した複数のＨＤ−ＳＤＩ信号をそれぞれの出力端子からモニター５へ出力すると共に録画装置６に保存する。この場合、モニター５及び録画装置６は、１本の映像信号の代わりに、映像信号を構成する複数のＨＤ−ＳＤＩ信号を入力する。
【０１０５】
以上、実施形態を挙げて本発明を説明したが、本発明は前記実施形態に限定されるものではなく、その技術思想を逸脱しない範囲で種々変形可能である。例えば、図１、図３、図１２及び図１３の例では、１台の送信装置１及び１台の受信装置２により伝送システムが構成されており、図１４の例では、３台の送信装置１−１〜１−３及び３台の受信装置２−１〜２−３により構成されているが、本発明は、送信装置１及び受信装置２の台数を限定するものではない。また、図３では、送信装置１が６台の誤り訂正符号化装置１０−１〜１０−６を備え、受信装置２が６台の誤り訂正復号装置２２−１〜２２−６を備えているが、本発明は、誤り訂正符号化装置１０及び誤り訂正復号装置２２の台数を限定するものではない。また、本発明は、多重化して伝送するＨＤ−ＳＤＩ信号の本数を限定するものではない。
【符号の説明】
【０１０６】
１  送信装置
２，８  受信装置
３  伝送システム
４  カメラ
５  モニター
６  録画装置
７  伝送路
１０  誤り訂正符号化装置
１１  多重装置
１２  送信機
２０  受信機
２１  分離装置
２２  誤り訂正復号装置
２３  切替制御装置
２４  切替装置
１０１  シリアル・パラレル変換手段
１０２  誤り訂正符号化対象データ抽出手段
１０３  誤り訂正パリティ挿入手段
１０４  パラレル・シリアル変換手段
１０５  誤り訂正符号化手段
１０６  誤り訂正パリティ並び替え手段
１０７  ＨＤ−ＳＤＩ信号識別情報入力手段
１０８  ＨＤ−ＳＤＩ信号識別符号生成手段
２０１  シリアル・パラレル変換手段
２０２  誤り訂正パリティ抽出手段
２０３  誤り訂正復号対象データ抽出手段
２０４  誤り訂正データ置き換え手段
２０５  パラレル・シリアル変換手段
２０６  誤り訂正パリティ並び替え手段
２０７  誤り訂正復号処理手段
２０８  ＨＤ−ＳＤＩ信号識別情報生成手段
２０９  ＨＤ−ＳＤＩ信号識別情報表示手段
２１０  出力端子
【図１】
2011223395.tif 000003
【図２】
2011223395.tif 000004
【図３】
2011223395.tif 000005
【図４】
2011223395.tif 000006
【図５】
2011223395.tif 000007
【図６】
2011223395.tif 000008
【図７】
2011223395.tif 000009
【図８】
2011223395.tif 000010
【図９】
2011223395.tif 000011
【図１０】
2011223395.tif 000012
【図１１】
2011223395.tif 000013
【図１２】
2011223395.tif 000014
【図１３】
2011223395.tif 000015
【図１４】
2011223395.tif 000016
【図１５】
2011223395.tif 000017
【図１６】
2011223395.tif 000018
【図１７】
2011223395.tif 000019